(57)【特許請求の範囲】
【請求項１】
第一開口および第二開口が設けられた本体と、
前記第一開口から前記第二開口に向けて押し込み可能に構成されその押し込み方向後端側に鍵のつまみ部の孔に引っ掛けられるフック部が設けられたコネクタと、
を備え、
前記第一開口は前記フック部及び前記つまみ部を共に挿入可能に構成され、
前記本体の内部には、
前記第一開口から挿入した前記つまみ部の頭が当接する当接部と、
前記当接部に前記頭が当接した状態で前記つまみ部をその両面側から弾性的に挟持すると共に前記鍵を人手により強制的に引き抜くことでその挟持を解除する挟持手段と、
が設けられ、
前記コネクタと前記本体の内部とには、
前記コネクタを弾性的に保持して前記フック部を挿入状態に保持すると共に前記鍵を人手により強制的に引き抜くことでその保持を解除する保持手段と、
が設けられ、
前記コネクタには、前記頭が前記当接部に当接した状態で前記本体の第二開口から突出する係合部が設けられ、この係合部にはストラップその他のアクセサリが付設可能となっていることを特徴とする鍵ホルダ。
【請求項２】
前記コネクタは前記本体に対して着脱可能に構成されていることを特徴とする請求項１記載の鍵ホルダ。
【請求項３】
前記コネクタは前記本体に対して着脱不能に構成されていることを特徴とする請求項１又は２記載の鍵ホルダ。
【発明の詳細な説明】
【０００１】
【発明の属する技術分野】
本発明は、鍵のつまみ部に装着される鍵ホルダに関する。
【０００２】
【従来の技術】
鍵ホルダに関して、従来、本体をプラスチック・合成樹脂等の絶縁素材で作製することで、施錠または施錠解除時に手を触れた際に生じる静電気から人体を保護したり、或いは鍵の操作を容易にするために、種々の提案がなされている。
【０００３】
この場合の鍵への本体の装着構造について説明すれば、例えば、鍵のつまみ部に本体を構成するカバーをねじで固定したりしていた。
【０００４】
【発明が解決しようとする課題】
しかし、カバーを鍵のつまみ部にねじで固定する手法によれば、カバーが取り付けられる鍵のつまみ部の形状が限定されたり、また、カバーの装着後に鍵がガタつくことにより施錠時や解除時に負荷が確実に鍵に伝達されず、操作がしにくくなるといった問題があった。
一方、様々な鍵の形状に対応可能な提案もなされているが、カバーを取り付けられる鍵のつまみ部の厚さや長さが限定されたり、本体装着の際に分解・組立工程が必要となっていた。また、鍵の厚さが適切な場合であっても、つまみ部の平面に対して垂直方向にはガタつきを改善できるが、水平方向のガタつきが防止できないという問題があった。
【０００５】
本発明は、上記の問題に鑑み発明されたものであって、簡単に装着でき、しかも鍵のガタつきの少ない鍵ホルダを提供することを目的とする。
【０００６】
【課題を解決するための手段】
請求項１記載の鍵ホルダは、
第一開口および第二開口が設けられた本体と、
前記第一開口から前記第二開口に向けて押し込み可能に構成されその押し込み方向後端側に鍵のつまみ部の孔に引っ掛けられるフック部が設けられたコネクタと、
を備え、
前記第一開口は前記フック部及び前記つまみ部を共に挿入可能に構成され、
前記本体の内部には、
前記第一開口から挿入した前記つまみ部の頭が当接する当接部と、
前記当接部に前記頭が当接した状態で前記つまみ部をその両面側から弾性的に挟持すると共に前記鍵を人手により強制的に引き抜くことでその挟持を解除する挟持手段と、
が設けられ、
前記コネクタと前記本体の内部とには、
前記コネクタを弾性的に保持して前記フック部を挿入状態に保持すると共に前記鍵を人手により強制的に引き抜くことでその保持を解除する保持手段と、
が設けられ、
前記コネクタには、前記頭が前記当接部に当接した状態で前記本体の第二開口から突出する係合部が設けられ、この係合部にはストラップその他のアクセサリが付設可能となっていることを特徴とする。
ここで「挟持手段」としては、特に限定はされないが、ゴムが用いられる。また、ゴムの代わりに挟持板を用い、この挟持板をばねによって付勢することでつまみ部の両面を挟持させるようにしてもよい。この鍵ホルダによれば、つまみ部の頭を当接部に当接させ、その状態で挟持手段によって弾性的に挟持させれば、分解・組立を伴わず簡単に鍵に本体を装着できると共に、鍵の種類によらずにガタつきを少なくできる。
【０００７】
また、この鍵ホルダによれば、つまみ部が挟持手段によって弾性的に挟持される上に、フック部が挿入状態を維持するように保持手段によってコネクタが弾性的に保持されるので、可及的に鍵の抜け落ちが防止できる。
【０００８】
また、この鍵ホルダによれば、ストラップその他のアクセサリが付設できるので、より装飾的効果が高まる。
【０００９】
請求項２記載の鍵ホルダは、前記コネクタは前記本体に対して着脱可能に構成されていることを特徴とする。また、請求項３記載の鍵ホルダは、請求項１又は２記載の鍵ホルダにおいて、前記コネクタは前記本体に対して着脱不能に構成されていることを特徴とする。
【００１０】
【発明の実施の形態】
図１及び図２には本発明に係る鍵ホルダが示されている。
【００１１】
この鍵ホルダ１は特に限定はされないがプラスチック製の本体２及びコネクタ３を備える。このうちコネクタ３は扁平「Ｃ」字状に形成されている。すなわち、このコネクタ３は互いに平行な直線部分３ａ，３ｂと曲率の大きい曲線部分３ｃ，３ｄを有し、直線部分３ａは途中で欠損部３ｅによって途中で分断された形となっている。このコネクタ３の長手方向の両端つまり曲線部分３ｃ，３ｄはフック４，５をそれぞれ構成している。各フック４，５は欠損部３ｅを通じて鍵６のつまみ部分６ａの孔６ｂに引っ掛けることができるようになっている。また、コネクタ３の直線部分３ａ，３ｂの外側には長手方向の中央部分に突起７，８が設けられている。
【００１２】
一方、本体２は人形の形をしている。この本体２は図２に示すように前枠１０と後枠１１から構成され、この前枠１０と後枠１１は図３（ａ），（ｂ）に示すボス穴１０ａ及びボス１１ａの嵌合によって相互に組み付けられている。本体２の下端には図３及び図４に示すように前枠１０と後枠１１によって画成される開口（第一開口）１２が、本体２の上端には図２及び図３に示すように前枠１０と後枠１１によって画成される開口（第二開口）１３が設けられている。
【００１３】
ここで開口１２は、つまみ部６ａの孔６ｂにフック５を引っ掛けた状態で、コネクタ３及びつまみ部６ａが同時に挿入できる形状となっている。また、前枠１０及び後枠１１の内部には開口１２，１３間に亘って延びるガイド部材１４，１５が付設されている。このガイド部材１４，１５によってコネクタ３の通路が画成されている。また、通路内には、コネクタ３の突起（保持手段）７，８が弾性的に嵌合する凹部（保持手段）１４ａ，１５ａが当該通路に沿って等間隔に多数設けられている。さらに、ガイド部材１４，１５の両脇には図５に示すようなゴム製でコ字状のストッパ（挟持手段）１６を取り付けるための座１４ｂ，１５ｂがそれぞれ一体的に設けられている。各ストッパ１６の挟持片先端同士の距離はつまみ部６ａの厚さよりも小さくなるように設定されている。また、各ストッパ１６の挟持片の付け根部分つまり股部分（当接部）につまみ部６ａの頭が当接するようになっている。その結果、つまみ部６ａの過度の挿入が阻止されると共に、鍵６の回転が効果的に防止されることになる。
【００１４】
続いて、この鍵ホルダ１の使い方の一例について説明すれば、コネクタ３を引き抜いた状態で、或いはコネクタ３の一部を開口１２に挿入した状態で、欠損部３ｅを通じて鍵６のつまみ部分６ａの孔６ｂにフック５を引っ掛ける。次いで、コネクタ３及びつまみ部６ａを開口１２内に最後まで押し込む。すると、コネクタ３のフック４の曲線部分３ｃが開口１３から突出する。このフック４の曲線部分３ｃにストラップその他のアクセサリを付設する。
【００１５】
以上、本発明の実施形態について説明したが、本発明は、かかる実施形態に限定されるものでなく、その要旨を逸脱しない範囲で種々変形可能であることはいうまでもない。
【００１６】
例えば、前記実施形態の鍵ホルダ１によれば、コネクタ３を本体２に対して着脱可能に構成したが、コネクタ３を本体２に着脱不能に予め付設すると共に、本体２に対して動作可能に構成することもできる。このようにすれば、コネクタ３の紛失を防止することもできる。
【００１７】
また、前記実施形態の鍵ホルダ１によれば、フック５に鍵６を吊したが、反対のフック４に鍵６を吊すことも可能である。
【００１８】
【発明の効果】
本発明の代表的なものの効果を説明すれば、
第一開口および第二開口が設けられた本体と、
前記第一開口から前記第二開口に向けて押し込み可能に構成されその押し込み方向後端側に鍵のつまみ部の孔に引っ掛けられるフック部が設けられたコネクタと、
を備え、
前記第一開口は前記フック部及び前記つまみ部を共に挿入可能に構成され、
前記本体の内部には、
前記第一開口から挿入した前記つまみ部の頭が当接する当接部と、
前記当接部に前記頭が当接した状態で前記つまみ部をその両面側から弾性的に挟持すると共に前記鍵を人手により強制的に引き抜くことでその挟持を解除する挟持手段と、
が設けられ、
前記コネクタと前記本体の内部とには、
前記コネクタを弾性的に保持して前記フック部を挿入状態に保持すると共に前記鍵を人手により強制的に引き抜くことでその保持を解除する保持手段と、
が設けられ、
前記コネクタには、前記頭が前記当接部に当接した状態で前記本体の第二開口から突出する係合部が設けられ、この係合部にはストラップその他のアクセサリが付設可能となっているので、
分解・組立を伴わず簡単に鍵に本体を装着できると共に、鍵の種類によらずにガタつきを少なくできる。
【図面の簡単な説明】
【図１】実施形態に係る鍵ホルダの斜視図である。
【図２】実施形態に係る鍵ホルダの分解斜視図である。
【図３】実施形態に係る鍵ホルダの前枠及び後枠をそれぞれ裏側から見た状態を示す図である。
【図４】実施形態に係る鍵ホルダの下面図である。
【図５】実施形態に係る鍵ホルダのストッパの斜視図である。
【図６】実施形態に係る鍵ホルダのガイド部材、ストッパ、コネクタ及び鍵の関係を示す側面図である。
【符号の説明】
１          鍵ホルダ
２          本体
３          コネクタ
４，５      フック
６          鍵
１２，１３  開口
１６        ストッパ
【図１】
0004071392.tif 000002
【図２】
0004071392.tif 000003
【図３】
0004071392.tif 000004
【図４】
0004071392.tif 000005
【図５】
0004071392.tif 000006
【図６】
0004071392.tif 000007